(57)【要約】【課題】移動局において設定されているパラメータの内、どのようなパラメータが「デフォルトパラメータ」であり、どのようなパラメータが「バッテリセービングパラメータ」であるのかについて明確に規定する。【解決手段】本発明に係る移動通信方法は、移動局ＵＥが、無線基地局ｅＮＢに対して、ＰＰＩとして、デフォルトパラメータ、又は、バッテリセービングパラメータのいずれかを通知する工程を有しており、移動局ＵＥは、無線基地局ｅＮＢからＰＰＩを通知するように指示された場合、かかる指示を受信した時点で設定されているパラメータをデフォルトパラメータとし、無線基地局ｅＮＢに対して、ＰＰＩを通知せず、その後、かかるパラメータの設定希望がバッテリセービングパラメータに変更された場合に、無線基地局ｅＮＢに対して、ＰＰＩとしてバッテリセービングパラメータを通知する。【選択図】図３
2014045447.tif 000002
【特許請求の範囲】
【請求項１】
移動局が、無線基地局に対して、パラメータの設定希望として、デフォルトパラメータ、又は、バッテリセービングパラメータのいずれかを通知する工程を有しており、
前記移動局は、前記無線基地局から前記パラメータの設定希望を通知するように指示された場合、該指示を受信した時点で設定されている該パラメータを前記デフォルトパラメータとし、該無線基地局に対して、該パラメータの設定希望を通知せず、その後、該パラメータの設定希望が前記バッテリセービングパラメータに変更された場合に、該無線基地局に対して、該パラメータの設定希望として該バッテリセービングパラメータを通知することを特徴とする移動通信方法。
【請求項２】
移動局が、無線基地局に対して、パラメータの設定希望として、デフォルトパラメータ、又は、バッテリセービングパラメータのいずれかを通知し、所定タイマを起動する工程を有しており、
前記移動局は、前記所定タイマが起動している期間中は、前記無線基地局に対して、前記パラメータの設定希望を通知せず、
前記移動局は、前記無線基地局から前記パラメータの設定希望を通知するように指示された際には、前記無線基地局に対して、前記パラメータの設定希望を通知することなく、前記所定タイマを起動することを特徴とする移動通信方法。
【請求項３】
移動局であって、
無線基地局に対して、パラメータの設定希望として、デフォルトパラメータ、又は、バッテリセービングパラメータのいずれかを通知するように構成されており、
前記無線基地局から前記パラメータの設定希望を通知するように指示された場合、該指示を受信した時点で設定されている該パラメータを前記デフォルトパラメータとし、該無線基地局に対して、該パラメータの設定希望を通知せず、その後、該パラメータの設定希望が前記バッテリセービングパラメータに変更された場合に、該無線基地局に対して、該パラメータの設定希望として該バッテリセービングパラメータを通知するように構成されていることを特徴とする移動局。
【請求項４】
移動局であって、
無線基地局に対して、パラメータの設定希望として、デフォルトパラメータ、又は、バッテリセービングパラメータのいずれかを通知し、所定タイマを起動するように構成されており、
前記所定タイマが起動している期間中は、前記無線基地局に対して、前記パラメータの設定希望を通知しないように構成されており、
前記無線基地局から前記パラメータの設定希望を通知するように指示された際には、前記無線基地局に対して、前記パラメータの設定希望を通知することなく、前記所定タイマを起動するように構成されていることを特徴とする移動局。
【発明の詳細な説明】
【技術分野】
【０００１】
本発明は、移動通信方法及び移動局に関する。
【背景技術】
【０００２】
昨今、スマートフォンやタブレット端末の普及により、様々なデータが、ＬＴＥ（Ｌｏｎｇ  Ｔｅｒｍ  Ｅｖｏｌｕｔｉｏｎ）方式のネットワークを通ることとなったため、システムの最適化を図るために、データの挙動に対して柔軟な制御を行うことが、３ＧＰＰのＷＧである「ｅＤＤＡ」にて議論されている。
【０００３】
ここで、システムの最適化を図るとは、例えば、移動局ＵＥのバッテリセービングやネットワークリソースセービングやシグナリング負荷低減等の観点において最適化を図ることである。
【０００４】
例えば、図６（ａ）に示すように、バックグラウンドデータ（Ｂａｃｋ  ｇｒｏｕｎｄ  ｄａｔａ）のような頻度が小さいデータの場合には、長い「ＤＲＸ（Ｄｉｓｃｏｎｔｉｎｕｏｕｓ  Ｒｅｃｅｐｔｉｏｎ）  ｃｙｃｌｅ」を設定してバッテリセービングを実現することが望ましい。
【０００５】
一方、図６（ｂ）に示すように、ＦＴＰ-ＤＬデータのような連続データの場合には、ある程度短い「ＤＲＸ  ｃｙｃｌｅ」を設定してデータ送受信の遅延を低減すべきである。
【０００６】
なお、移動局ＵＥは、「ＤＲＸ  ｃｙｃｌｅ」によって規定されている周期毎に訪れる所定期間（ｏｎ  ｄｕｒａｔｉｏｎ）でのみＰＤＣＣＨ（Ｐｈｙｓｉｃａｌ  Ｄｏｗｎｌｉｎｋ  Ｃｏｎｔｒｏｌ  Ｃｈａｎｎｅｌ）を監視するように構成されている。
【０００７】
そこで、３ＧＰＰでは、移動局ＵＥに対して、パラメータ（例えば、ＤＲＸパラメータ）のｐｒｅｆｅｒｅｎｃｅ、以下、ＰＰＩ（Ｐｏｗｅｒ  Ｐｒｅｆｅｒｅｎｃｅ  Ｉｎｄｉｃａｔｉｏｎ）を送信させることが合意されている。
【０００８】
具体的には、移動局ＵＥに対して、ＰＰＩとして、「デフォルトパラメータ」或いは「よりバッテリセービングを意識したパラメータ（バッテリセービングパラメータ）を通知させることが合意されている。
【０００９】
なお、移動局ＵＥにおいて設定されているパラメータが「デフォルトパラメータ」なのか或いは「バッテリセービングパラメータ」なのかについては、移動局ＵＥが決定するように構成されている。
【００１０】
また、移動局ＵＥからの過剰なＰＰＩの報告を回避するために、「ｐｒｏｈｉｂｉｔ  ｍｅｃｈａｎｉｓｍ」が設けられている。
【００１１】
かかる「ｐｒｏｈｉｂｉｔ  ｍｅｃｈａｎｉｓｍ」では、移動局ＵＥは、ＰＰＩを送信した後の所定期間は、ＰＰＩを送信することができない。
【００１２】
また、かかる「ｐｒｏｈｉｂｉｔ  ｍｅｃｈａｎｉｓｍ」では、移動局ＵＥは、ＰＰＩを送信した場合、その時点で確立されているＲＲＣコネクションが解放されるまでは、連続して同じ内容のＰＰＩを送信することはできない。
【００１３】
ここで、図７を参照して、「ｐｒｏｈｉｂｉｔ  ｍｅｃｈａｎｉｓｍ」が適用されている移動通信システムの動作について説明する。
【００１４】
図７に示すように、ステップＳ２００１において、無線基地局ｅＮＢは、移動局ＵＥに対して、ＰＰＩを通知するように指示する「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を送信する。
【００１５】
ステップＳ２００２において、移動局ＵＥは、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００１６】
移動局ＵＥは、ステップＳ２００３において、パラメータの設定希望がバッテリセービングパラメータであると判断し、ステップＳ２００４において、無線基地局ｅＮＢに対して、その旨を示す「ＰＰＩ（ｂａｔｔｅｒｙ  ｓａｖｉｎｇ）」を送信し、ステップＳ２００５において、「ｐｒｏｈｉｂｉｔ  ｔｉｍｅｒ」を起動する。
【００１７】
ステップＳ２００６において、無線基地局ｅＮＢは、かかる「ＰＰＩ（ｂａｔｔｅｒｙ  ｓａｖｉｎｇ）」に基づいて、移動局ＵＥ用のパラメータ（例えば、ＤＲＸパラメータ）を決定し、移動局ＵＥに対して、かかる移動局ＵＥ用のパラメータの設定を指示する「ＲＲＣ  ｃｏｎｎｅｃｔｉｏｎ  ｒｅｃｏｎｆｉｇｕｒａｔｉｏｎ」を送信する。
【００１８】
ステップＳ２００７において、移動局ＵＥは、かかる移動局ＵＥ用のパラメータの設定を行い、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００１９】
移動局ＵＥは、ステップＳ２００８において、パラメータの設定希望がデフォルトパラメータに変更されたと判断し、ステップＳ２００９において、無線基地局ｅＮＢに対して、その旨を示す「ＰＰＩ（ｄｅｆａｕｌｔ）」を送信し、ステップＳ２０１０において、「ｐｒｏｈｉｂｉｔ  ｔｉｍｅｒ」を起動する。
【００２０】
ステップＳ２０１１において、無線基地局ｅＮＢは、かかる「ＰＰＩ（ｄｅｆａｕｌｔ）」に基づいて、移動局ＵＥ用のパラメータ（例えば、ＤＲＸパラメータ）を決定し、移動局ＵＥに対して、かかる移動局ＵＥ用のパラメータの設定を指示する「ＲＲＣ  ｃｏｎｎｅｃｔｉｏｎ  ｒｅｃｏｎｆｉｇｕｒａｔｉｏｎ」を送信する。
【００２１】
ステップＳ２０１２において、移動局ＵＥは、かかる移動局ＵＥ用のパラメータの設定を行い、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【先行技術文献】
【非特許文献】
【００２２】
【非特許文献１】３ＧＰＰ寄書  Ｒ２-１２４３６４
【発明の概要】
【発明が解決しようとする課題】
【００２３】
しかしながら、既存の「ｐｒｏｈｉｂｉｔ  ｍｅｃｈａｎｉｓｍ」では、移動局ＵＥにおいて設定されているパラメータの内、どのようなパラメータが「デフォルトパラメータ」であり、どのようなパラメータが「バッテリセービングパラメータ」であるのかについて明確に規定されていないという問題点があった。
【００２４】
例えば、移動局ＵＥにおいて所定のパラメータが設定されている場合に、無線基地局ｅＮＢは、「デフォルトパラメータ」が設定されていると判断しているのに対して、移動局ＵＥは、「バッテリセービングパラメータ」が設定されていると思い込んで、「ＰＰＩ（ｄｅｆａｕｌｔ）」を通知してしまうケースが想定され、不要なシグナリングが発生してしまうという問題点があった。
【００２５】
また、既存の「ｐｒｏｈｉｂｉｔ  ｍｅｃｈａｎｉｓｍ」では、移動局ＵＥは、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信した直後から、無線基地局ｅＮＢに対して、ＰＰＩを通知することができるように構成されている。
【００２６】
したがって、例えば、移動局ＵＥが、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信した直後に、無線基地局ｅＮＢに対して、「ＰＰＩ（ｂａｔｔｅｒｙ  ｓａｖｉｎｇ）」を通知する場合、移動局ＵＥにおいて設定されているパラメータで十分にバッテリセービングを実現することができる場合でも、移動局ＵＥは、決め打ちで「ＰＰＩ（ｂａｔｔｅｒｙ  ｓａｖｉｎｇ）」を送信してくる可能性があり、不要なシグナリングが発生してしまうという問題点があった。
【００２７】
そこで、本発明は、上述の課題に鑑みてなされたものであり、移動局において設定されているパラメータの内、どのようなパラメータが「デフォルトパラメータ」であり、どのようなパラメータが「バッテリセービングパラメータ」であるのかについて明確に規定することができる移動通信方法及び移動局を提供することを目的とする。
【００２８】
また、本発明は、移動局において「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」が受信された直後に「ＰＰＩ（ｂａｔｔｅｒｙ  ｓａｖｉｎｇ）」が送信されることに起因する不要なシグナリングの発生を回避することができる移動通信方法及び移動局を提供することを目的とする。
【課題を解決するための手段】
【００２９】
本発明の第１の特徴は、移動通信方法であって、移動局が、無線基地局に対して、パラメータの設定希望として、デフォルトパラメータ、又は、バッテリセービングパラメータのいずれかを通知する工程を有しており、前記移動局は、前記無線基地局から前記パラメータの設定希望を通知するように指示された場合、該指示を受信した時点で設定されている該パラメータを前記デフォルトパラメータとし、該無線基地局に対して、該パラメータの設定希望を通知せず、その後、該パラメータの設定希望が前記バッテリセービングパラメータに変更された場合に、該無線基地局に対して、該パラメータの設定希望として該バッテリセービングパラメータを通知することを要旨とする。
【００３０】
本発明の第２の特徴は、移動通信方法であって、移動局が、無線基地局に対して、パラメータの設定希望として、デフォルトパラメータ、又は、バッテリセービングパラメータのいずれかを通知し、所定タイマを起動する工程を有しており、前記移動局は、前記所定タイマが起動している期間中は、前記無線基地局に対して、前記パラメータの設定希望を通知せず、前記移動局は、前記無線基地局から前記パラメータの設定希望を通知するように指示された際には、前記無線基地局に対して、前記パラメータの設定希望を通知することなく、前記所定タイマを起動することを要旨とする。
【００３１】
本発明の第３の特徴は、移動局であって、無線基地局に対して、パラメータの設定希望として、デフォルトパラメータ、又は、バッテリセービングパラメータのいずれかを通知するように構成されており、前記無線基地局から前記パラメータの設定希望を通知するように指示された場合、該指示を受信した時点で設定されている該パラメータを前記デフォルトパラメータとし、該無線基地局に対して、該パラメータの設定希望を通知せず、その後、該パラメータの設定希望が前記バッテリセービングパラメータに変更された場合に、該無線基地局に対して、該パラメータの設定希望として該バッテリセービングパラメータを通知するように構成されていることを要旨とする。
【００３２】
本発明の第４の特徴は、移動局であって、無線基地局に対して、パラメータの設定希望として、デフォルトパラメータ、又は、バッテリセービングパラメータのいずれかを通知し、所定タイマを起動するように構成されており、前記所定タイマが起動している期間中は、前記無線基地局に対して、前記パラメータの設定希望を通知しないように構成されており、前記無線基地局から前記パラメータの設定希望を通知するように指示された際には、前記無線基地局に対して、前記パラメータの設定希望を通知することなく、前記所定タイマを起動するように構成されていることを要旨とする。
【発明の効果】
【００３３】
以上説明したように、本発明によれば、移動局において設定されているパラメータの内、どのようなパラメータが「デフォルトパラメータ」であり、どのようなパラメータが「バッテリセービングパラメータ」であるのかについて明確に規定することができる移動通信方法及び移動局を提供することができる。
【００３４】
また、本発明によれば、移動局において「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」が受信された直後に「ＰＰＩ（ｂａｔｔｅｒｙ  ｓａｖｉｎｇ）」が送信されることに起因する不要なシグナリングの発生を回避することができる移動通信方法及び移動局を提供することができる。
【図面の簡単な説明】
【００３５】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を示すシーケンス図である。
【図４】本発明の第１の実施形態に係る移動局の動作を示すフローチャートである。
【図５】本発明の第１の実施形態に係る移動局の動作を示すフローチャートである。
【図６】従来技術を説明するための図である。
【図７】従来技術を説明するための図である。
【発明を実施するための形態】
【００３６】
（本発明の第１の実施形態に係る移動通信システム）
図１乃至図５を参照して、本発明の第１の実施形態に係る移動通信システムについて説明する。
【００３７】
図１に示すように、本実施形態に係る移動通信システムは、ＬＴＥ方式の移動通信システムであって、無線基地局ｅＮＢと、移動局ＵＥとを具備している。
【００３８】
なお、本実施形態に係る移動通信システムでは、上述した「ｐｒｏｈｉｂｉｔ  ｍｅｃｈａｎｉｓｍ」が適用可能である。
【００３９】
図２に示すように、本実施形態に係る移動局ＵＥは、ＰＰＩ  ｐｒｅｆｅｒｅｎｃｅ管理部１１と、ｐｒｏｈｉｂｉｔ  ｔｉｍｅｒ管理部１２と、受信部１３と、送信部１４とを具備している。
【００４０】
ＰＰＩ  ｐｒｅｆｅｒｅｎｃｅ管理部１１は、パラメータ（例えば、ＤＲＸパラメータ）の設定希望がデフォルトパラメータ或いはバッテリセービングパラメータのいずれであるかについて管理するように構成されている。
【００４１】
なお、ＰＰＩ  ｐｒｅｆｅｒｅｎｃｅ管理部１１は、上述のパラメータの設定希望が、どのような場合に、バッテリセービングパラメータに変更になったかについて、任意の基準で判断することができるように構成されている。
【００４２】
ｐｒｏｈｉｂｉｔ  ｔｉｍｅｒ管理部１２は、「ｐｒｏｈｉｂｉｔ  ｔｉｍｅｒ」を管理するように構成されている。
【００４３】
受信部１３は、無線基地局ｅＮＢから各種信号を受信するように構成されており、送信部１４は、無線基地局ｅＮＢに対して各種信号を送信するように構成されている。
【００４４】
例えば、受信部１３は、無線基地局ｅＮＢから、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信するように構成されている。
【００４５】
また、送信部１４は、無線基地局ｅＮＢに対して、ＰＰＩ、具体的には、「ＰＰＩ（ｄｅｆａｕｌｔ）」や「ＰＰＩ（ｂａｔｔｅｒｙ  ｓａｖｉｎｇ）」を送信するように構成されている。
【００４６】
例えば、ＰＰＩ  ｐｒｅｆｅｒｅｎｃｅ管理部１１が、上述のパラメータが、デフォルトパラメータからバッテリセービングパラメータに変更になったことを検出した場合に、送信部１４は、無線基地局ｅＮＢに対して、「ＰＰＩ（ｂａｔｔｅｒｙ  ｓａｖｉｎｇ）」を送信するように構成されている。
【００４７】
同様に、ＰＰＩ  ｐｒｅｆｅｒｅｎｃｅ管理部１１が、上述のパラメータが、バッテリセービングパラメータからデフォルトパラメータに変更になったことを検出した場合に、送信部１４は、無線基地局ｅＮＢに対して、「ＰＰＩ（ｄｅｆａｕｌｔ）」を送信するように構成されている。
【００４８】
ここで、送信部１４が、無線基地局ｅＮＢに対して、ＰＰＩを送信した際に、ｐｒｏｈｉｂｉｔ  ｔｉｍｅｒ管理部１２は、「ｐｒｏｈｉｂｉｔ  ｔｉｍｅｒ」を起動するように構成されている。
【００４９】
なお、送信部１４は、ＰＰＩを送信することを決定した場合、ＰＰＩの送信及び「ｐｒｏｈｉｂｉｔ  ｔｉｍｅｒ」の起動のどちらを先に行ってもよい。
【００５０】
また、受信部１３が、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信した際に、ＰＰＩ  ｐｒｅｆｅｒｅｎｃｅ管理部１１は、かかる時点で設定されているパラメータを、デフォルトパラメータとし、送信部１４は、無線基地局ｅＮＢに対して、ＰＰＩを送信せずに、ｐｒｏｈｉｂｉｔ  ｔｉｍｅｒ管理部１２は、「ｐｒｏｈｉｂｉｔ  ｔｉｍｅｒ」を起動するように構成されていてもよい。
【００５１】
以下、図３を参照して、本実施形態に係る移動通信システムの動作例について説明する。
【００５２】
図３に示すように、ステップＳ１００１において、無線基地局ｅＮＢは、移動局ＵＥに対して、ＰＰＩを通知するように指示する「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を送信する。
【００５３】
移動局ＵＥは、ステップＳ１００２において、かかる時点で設定されているパラメータをデフォルトパラメータとし、ステップＳ１００３において、「ｐｒｏｈｉｂｉｔ  ｔｉｍｅｒ」を起動し、ステップＳ１００４において、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００５４】
「ｐｒｏｈｉｂｉｔ  ｔｉｍｅｒ」が満了した後、移動局ＵＥは、ステップＳ１００５において、パラメータの設定希望がバッテリセービングパラメータに変更になったことを検出し、ステップＳ１００６において、無線基地局ｅＮＢに対して、その旨を示す「ＰＰＩ（ｂａｔｔｅｒｙ  ｓａｖｉｎｇ）」を送信し、ステップＳ１００７において、「ｐｒｏｈｉｂｉｔ  ｔｉｍｅｒ」を起動する。
【００５５】
ステップＳ１００８において、無線基地局ｅＮＢは、かかる「ＰＰＩ（ｂａｔｔｅｒｙ  ｓａｖｉｎｇ）」に基づいて、移動局ＵＥ用のパラメータ（例えば、ＤＲＸパラメータ）を決定し、移動局ＵＥに対して、かかる移動局ＵＥ用のパラメータの設定を指示する「ＲＲＣ  ｃｏｎｎｅｃｔｉｏｎ  ｒｅｃｏｎｆｉｇｕｒａｔｉｏｎ」を送信する。
【００５６】
ステップＳ１００９において、移動局ＵＥは、かかる移動局ＵＥ用のパラメータの設定を行い、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００５７】
次に、図４及び図５を参照して、本実施形態に係る移動局ＵＥの動作例について説明する。
【００５８】
第１に、図４を参照して、本実施形態に係る移動局ＵＥの動作例１について説明する。
【００５９】
図４に示すように、ステップＳ１０１において、移動局ＵＥは、所定タイミングで、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信したか否かについて判定する。
【００６０】
「Ｙｅｓ」の場合、ステップＳ１０２において、移動局ＵＥは、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信した時点（所定タイミング）で設定されているパラメータをデフォルトパラメータとする。
【００６１】
「Ｎｏ」の場合、本動作は、終了する。
【００６２】
第２に、図５を参照して、本実施形態に係る移動局ＵＥの動作例２について説明する。
【００６３】
図５に示すように、ステップＳ２０１において、移動局ＵＥは、所定タイミングで、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信したか否かについて判定する。
【００６４】
「Ｙｅｓ」の場合、本動作は、ステップＳ２０３に進み、「Ｎｏ」の場合、本動作は、ステップＳ２０２に進む。
【００６５】
ステップＳ２０２において、すなわち、移動局ＵＥが、所定タイミング以前に「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信している状態である場合、移動局ＵＥは、所定タイミングで、ＰＰＩを送信したか否かについて判定する。
【００６６】
「Ｙｅｓ」の場合、本動作は、ステップＳ２０３に進み、「Ｎｏ」の場合、本動作は、終了する。
【００６７】
ステップＳ２０３において、移動局ＵＥは、「ｐｒｏｈｉｂｉｔ  ｔｉｍｅｒ」を起動する。
【００６８】
以上に述べた本実施形態の特徴は、以下のように表現されていてもよい。
【００６９】
本実施形態の第１の特徴は、移動通信方法であって、移動局ＵＥが、無線基地局ｅＮＢに対して、ＰＰＩ（設定希望）として、デフォルトパラメータ、又は、バッテリセービングパラメータのいずれかを通知する工程を有しており、移動局ＵＥは、無線基地局ｅＮＢからＰＰＩを通知するように指示された場合、かかる指示を受信した時点で設定されているパラメータをデフォルトパラメータとし、無線基地局ｅＮＢに対して、ＰＰＩを通知せず、その後、かかるパラメータの設定希望がバッテリセービングパラメータに変更された場合に、無線基地局ｅＮＢに対して、ＰＰＩとしてバッテリセービングパラメータを通知することを要旨とする。
【００７０】
かかる構成によれば、移動局ＵＥが、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信した時点で設定されているパラメータをデフォルトパラメータとすることによって、移動局ＵＥと無線基地局ｅＮＢとの間で、移動局ＵＥに設定されているパラメータが「デフォルトパラメータ」であるのか「バッテリセービングパラメータ」であるのかについての認識を一致させることができ、不要なシグナリングの発生を抑制することができる。
【００７１】
本実施形態の第２の特徴は、移動通信方法であって、移動局ＵＥが、無線基地局ｅＮＢに対して、ＰＰＩ（設定希望）として、デフォルトパラメータ、又は、バッテリセービングパラメータのいずれかを通知し、「ｐｒｏｈｉｂｉｔ  ｔｉｍｅｒ（所定タイマ）」を起動する工程を有しており、移動局ＵＥは、「ｐｒｏｈｉｂｉｔ  ｔｉｍｅｒ」が起動している期間中は、無線基地局ｅＮＢに対して、ＰＰＩを通知せず、移動局ＵＥは、無線基地局ｅＮＢからＰＰＩを通知するように指示された際には、無線基地局ｅＮＢに対して、ＰＰＩを通知することなく「ｐｒｏｈｉｂｉｔ  ｔｉｍｅｒ」を起動することを要旨とする。
【００７２】
かかる構成によれば、移動局ＵＥは、「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」を受信した直後に「ｐｒｏｈｉｂｉｔ  ｔｉｍｅｒ」を起動するように構成されているため、移動局ＵＥにおいて「ＰＰＩ  ｅｎａｂｌｅ」を含む「ＲＲＣ  ｃｏｎｎｅｃｔｉｏｎ  ｒｅｃｏｎｆｉｇｕｒａｔｉｏｎ」が受信された直後に「ＰＰＩ（ｂａｔｔｅｒｙ  ｓａｖｉｎｇ）」が送信されることに起因する不要なシグナリングの発生を回避することができる。
【００７３】
本実施形態の第３の特徴は、移動局ＵＥであって、無線基地局ｅＮＢに対して、ＰＰＩとして、デフォルトパラメータ、又は、バッテリセービングパラメータのいずれかを通知するように構成されており、無線基地局ｅＮＢからＰＰＩを通知するように指示された場合、かかる指示を受信した時点で設定されているパラメータをデフォルトパラメータとし、無線基地局ｅＮＢに対して、ＰＰＩを通知せず、その後、かかるパラメータの設定希望がバッテリセービングパラメータに変更された場合に、無線基地局ｅＮＢに対して、ＰＰＩとしてバッテリセービングパラメータを通知するように構成されていることを要旨とする。
【００７４】
本実施形態の第４の特徴は、移動局ＵＥであって、無線基地局に対して、ＰＰＩとして、デフォルトパラメータ、又は、バッテリセービングパラメータのいずれかを通知し、「ｐｒｏｈｉｂｉｔ  ｔｉｍｅｒ」を起動するように構成されており、「ｐｒｏｈｉｂｉｔ  ｔｉｍｅｒ」が起動している期間中は、無線基地局ｅＮＢに対して、ＰＰＩを通知しないように構成されており、無線基地局ｅＮＢからＰＰＩを通知するように指示された際には、無線基地局ｅＮＢに対して、ＰＰＩを通知することなく「ｐｒｏｈｉｂｉｔ  ｔｉｍｅｒ」を起動するように構成されていることを要旨とする。
【００７５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７９】
ｅＮＢ…無線基地局
ＵＥ…移動局
１１…ＰＰＩ  ｐｒｅｆｅｒｅｎｃｅ管理部
１２…ｐｒｏｈｉｂｉｔ  ｔｉｍｅｒ管理部
１３…受信部
１４…送信部
【図１】
2014045447.tif 000003
【図２】
2014045447.tif 000004
【図３】
2014045447.tif 000005
【図４】
2014045447.tif 000006
【図５】
2014045447.tif 000007
【図６】
2014045447.tif 000008
【図７】
2014045447.tif 000009